(57)【要約】【課題】単一材料のカード基台に印刷を施すだけの構成とすることで、リサイクルに適したプリペイドカードを提供する。【解決手段】紙などの単一素材からなるカード基台１に対し、特殊な透明インクで印刷する第１の二次元バーコード２と、通常インクで印刷する追記式の第２の二次元バーコード３とでプリペイドカードを構成する。第１の二次元バーコード２には、プリペイドカード毎に固有のカードキー情報を埋め込み、前記第２の二次元バーコード３には、カード残高情報、記録日時情報、印刷位置情報などと共に、ハッシュ値情報を埋め込んでおき、これら情報を用いた確認により複製や改竄などの不正使用に対する安全性を確保する。【選択図】　　　　　　　　　図１
2004021398.tif 000002
【特許請求の範囲】
【請求項１】
有価残高から逐次決済額を差し引くよう使用するプリペイドカードにおいて、発行カード毎に固有のカードキー情報を特定波長光線に反応する透明インクを用いて印刷した第１の二次元バーコードと、
カード残高情報及び、該カード残高情報と前記カードキー情報とから求めたハッシュ値情報を印刷した第２の二次元バーコードとを備え、
決済の度に前記第２の二次元バーコードを追記するようにしたことを特徴とするプリペイドカード。
【発明の詳細な説明】
【０００１】
【発明の属する技術分野】
本発明は、プリペイドカードに関し、特に、使用済み廃棄時の分別の手間を低減しつつ、偽造・変造による使用を容易に発見可能な技術に関する。
【０００２】
【従来の技術】
近年、所定の金銭的価値情報を記憶しておき、紙幣や貨幣といった通貨に代えて金銭消費における支払手段の一つとしてプリペイドカードが普及している。これは一般的に、前払いした金額に応じた金銭的価値情報を初期値として記憶し、使用の度に消費金額を差し引いてゆき、金銭的価値を使い果たした後には処分される、所謂、使い捨ての形態が取られる。このプリペイドカード媒体の構造としては、次の例に示すものが多い。
【０００３】
図４は従来のプリペイドカードの構成例を示す図である。
この例に示すプリペイドカードは、カード基台１００と磁性体帯層２００からなり、その材質として、前記カード基台１００はプラスチックが用いられ、磁性体帯層２００はγ−Ｆｅ２Ｏ３などの微粒子磁性体を塗布したものが一般的である。そして、この磁性体帯層２００に金銭的価値情報（以下、カード残高という）を磁気的記録方式によって記憶していた。
【０００４】
【発明が解決しようとする課題】
しかしながら、上述した従来のプリペイドカードにおいては、以下に示すような問題点があった。つまり、使用済みのプリペイドカードの処理する上で、プラスチックと磁性体とを分離することに手間がかかるためリサイクルが困難であった。
【０００５】
本発明はこのような問題点を解決するためになされたものであり、紙を用いた単一材料のカード基台に印刷を施すだけの構成とすることで、リサイクルに適したプリペイドカードを提供することを目的とする。
【０００６】
【課題を解決するための手段】
上記課題を解決するために本発明に係わるプリペイドカードの請求項１の発明は、有価残高から逐次決済額を差し引くよう使用するプリペイドカードにおいて、発行カード毎に固有のカードキー情報を特定波長光線に反応する透明インクを用いて印刷した第１の二次元バーコードと、カード残高情報及び、該カード残高情報と前記カードキー情報とから求めたハッシュ値情報を印刷した第２の二次元バーコードとを備え、決済の度に前記第２の二次元バーコードを追記するようにしたことを特徴とする。
【０００７】
【発明の実施の形態】
以下、図示した実施の形態例に基づいて本発明を詳細に説明する。
図１は本発明に係わるプリペイドカードの実施の形態例を示す概観図である。
【０００８】
この例に示すプリペイドカードは、材質が紙からなるカード基台１に、プリペイドカードごとに固有の秘密情報（以下、カードキーという）を、紫外線に反応する透明インクを用いて二次元バーコード方式により印刷した第１のバーコード２と、カード残高とハッシュ値を二次バーコード方式により印刷した第２のバーコード３とを設けたものである。
なお、第２のバーコード３に記述するハッシュ値とは、前記第１のバーコードによるカードキー情報とカード残高情報との組合せからなるデータから、所定のハッシュ関数を用いて演算することにより求められた値である。
また、前記カード基台１を形成する材質は、一つのリサイクル分類に属する範疇の材質であればよく、製造工程の異なる二つの紙の貼り合わせであってもよい。
【０００９】
ここで二次元バーコードについて簡単に説明する。この二次元バーコードは、水平と垂直方向に情報をもつバーコードの表示方式のことをいい、大別するとスタック方式とマトリックス方式があり、近年、多用されてきている。何れの方式であっても、小スペースへの高密度印字により大きな情報容量を記述することが可能であると同時に、データ誤り検出及び訂正機能を備えたものもある。
以下に図を用いてマトリックス方式の原理について説明する。図５は、マトリックス方式の二次元バーコードの原理を説明するための図であり、同図（ａ）は、基本単位となるセルを示し、（ｂ）はセルのパターンを示す図である。つまり、（ａ）に示すように４つのます目で構成するセルは、白と黒の組合せ状態について（ｂ）に示した１６通りのパターンを表示することができる。このパターンをバイナリーに対応付ければ、４ビットの２進数が表現できることになる。
【００１０】
なお、図１の例では、第１のバーコード２および第２のバーコード３ともに、二次元バーコードとして、マトリックス方式のＱＲコードを用いた場合を示すものであるが、第１のバーコード２は、紫外線ランプ等により紫外線を照射したときに浮かびあがり、日常の光の元では、ほぼ透明な状態であるため同図においては、二次元バーコード自体は図示せず、印字位置を示すための外枠のみ図示している。また、第２のバーコード３は、ＱＲコードからなる二次元バーコードのイメージを明確にするため拡大して示しており、これはデータ領域内に複数のセルが縦横に並べらている。また、切り出しシンボルと呼ばれる特殊なパターンが配置されており、これによりパターン認識時の画像処理において平面上の角度を認識することができるので、読み取り時のスキャナの方向調整を不用としている。
また、カード基台１の表面に示した矢印は、第２のバーコード３の追記順序の例を示したものであり、第２のバーコード３を追記する位置の順を予め定めておく。
【００１１】
次に、図２は、本発明に係るプリペイドカードを発行するカード発行機の構成例を示す機能ブロック図である。
この図に示すプリペイドカード発行機４は、カードキー付与部５とハッシュ値演算部６と初期残高設定部７とに接続した制御部８と、該制御部８に接続した二次元バーコード印刷部９とを備えた構成である。
【００１２】
このプリペイドカード発行機４は、以下のように機能する。即ち、例えば、図示を省略した操作部から所定の額面（初期残高）のプリペイドカード発行要求が生じた場合、まず、前記カードキー付与部５は、カード発行者が管理し、カード毎に固有のＩＤ番号などからなるカードキー情報を生成する。生成したカードキー情報は、ハッシュ値演算部６と制御部８に与えられる。前記初期残高設定部７は指定された初期残高に応じた残高情報をハッシュ値演算部６と制御部８に与える。ハッシュ値演算部６は、カードキー付与部５からのカードキー情報と初期残高設定部７からの残高情報とを組み合わせたものを元データとし、予め定められた所定のハッシュ関数を用いてハッシュ値を求め、求めたハッシュ値情報を制御部８に与える。
【００１３】
次に、制御部８は、カードキー付与部５からのカードキー情報を含んだ二次元バーコードに変換処理し、二次元バーコード印刷部９に対し第１の印刷制御を行なう。この第１の印刷制御に基づき、二次元バーコード印刷部９は、特定の光波長領域（例えば、紫外線）に対して強調反応（吸収または反射）を示す透明インクにより、二次元バーコードを印刷する。こうして印刷された二次元バーコードがプリペイドカード上の第１の二次元バーコード２となる。つまり、第１の二次元バーコード２は、太陽光や蛍光灯、白熱灯など（以下、日常光という）の元では人の目には透明に映って認識できない。更に、スキャナーやコピー機が通常用いる光源からの光波長にもインクが反応しないため、第１の二次元バーコード２は、画像の取込や画像複製ができないようになっている。
【００１４】
また、制御部８は、ハッシュ値演算部６からのハッシュ値情報と、初期残高設定部７からの残高情報とを含んだ二次元バーコードに変換処理し、二次元バーコード印刷部９に対し第２の印刷制御を行なう。この第２の印刷制御に基づき、二次元バーコード印刷部９は、日常光の元で人の目に映るインクを用いて第２の二次元バーコード３を印刷する。このとき第２のバーコード３の印刷位置は、予め定められた追記順序の先頭位置となる。
【００１５】
以上の如く、所定の額面の初期残高を有するプリペイドカードが、プリペイドカード発行機４から発行される。次に、発行されたプリペイドカードが使用される場面について説明する。
【００１６】
図３は、本発明に係るプリペイドカードを使用する際のカード処理機の構成例を示す機能ブロック図である。
この図に示すプリペイドカード処理機１０は、レジスター２０に接続しており、レジスタ２０からは買い上げ金額情報がプリペイドカード処理機１０に供給されるようになっている。
更に、プリペイドカード処理機１０は、カードリーダー１１と、画像処理デコーダ１２と、メモリ１３と、ハッシュ値演算部１４と、比較判定部１５と、差し引き処理部１６と、二次元バーコード印刷部１７とを備えている。
【００１７】
前記カードリーダー１１は、ＣＣＤカメラなどの撮像機と上述の透明インクが反応する光源としての紫外線ランプとを有し、プリペイドカード上の第１の二次元バーコード２及び第２の二次元バーコード３を読み取る。前記画像処理デコーダ１２は、前記カードリーダー１１が読み取った二次元バーコードからカードキー、及びカード残高、ハッシュ値の情報を抽出する。前記メモリ１３は、前記画像処理デコーダ１２が抽出した情報を記憶する。
【００１８】
そして、ハッシュ値演算部１４は、前記メモリ１３に記憶された情報のうち、カードキー情報とカード残高情報とを用い、予め定められた所定のハッシュ関数によりハッシュ値を演算する。前記比較判定部１５は、前記ハッシュ値演算部１４が演算したハッシュ値と前記メモリ１３から読み出したハッシュ値とを比較し、一致するか否かを判定する。この判定により一致となれば、第１の二次元バーコード２及び第２の二次元バーコード３の情報が改竄されたものでないとして、当該プリペイドカードが有効となる。
【００１９】
次に、前記差し引き処理部１６は、前記比較判定部１５からの判定結果を受け、この結果が一致のときに、前記レジスター２０からの買い上げ金額情報に応じて、メモリ１３内のカード残高から差し引く処理を行ない、新たなカード残高を求める。ここで、ハッシュ値演算部１４は、前記差し引き処理部１６からの新たなカード残高情報及びメモリ１３内のカードキー情報とを用いて再びハッシュ値を演算し、新たなハッシュ値情報を二次元バーコード印刷部１７に与える。二次元バーコード印刷部１７は、前記差し引き処理部１６からの新たなカード残高情報とハッシュ値演算部１４からの新たなハッシュ値情報とを含む第２の二次元バーコード３を追記印刷する。
【００２０】
つまり、プリペイドカード処理機１０は、プリペイドカード上の第１の二次元バーコード２及び第２の二次元バーコード３を読み取る機能と、第２の二次元バーコード３を追記する機能を有しており、まず、読み取った情報についてハッシュ値照合確認を行なうことで有効・無効を判断した後に、金銭的決済を処理し、更なる残高情報を追記するよう動作することで、プリペイドカードの消費使用がなされるのである。
【００２１】
また、プリペイドカード処理機１０は、新たな第２の二次元バーコード３を追記すると同時に、一つ前の第２の二次元バーコード３の情報を断つ処理を施す。この場合、以前の第２の二次元バーコード３に対してパンチ孔を穿孔するようにしても良いが、パンチ孔として分離した部分は、ゴミとして回収処理しなければならず、プリペイドカード処理機１０にも穿孔機構を設ける必要が生じる。そこで、一つ前の第２の二次元バーコード３の情報を断つ処理としては、例えば、塗り潰し処理する。このようにすれば、二次元バーコード印刷部１７により対応することができる。
【００２２】
以上説明した本発明の実施の形態例においては、第２の二次元バーコード３に埋め込む情報として、残高情報とハッシュ値情報を含むという例を示したが、本発明の実施にあってはこの例に限らず、例えば、この他の情報として、記録日時（発行時または更新時）情報を加え、この場合の前記ハッシュ値情報は、カードキー情報とカード残高情報と記録日時情報の組合せデータを元に求めるように構成しても良い。これによれば、時系列的な面からもプリペイドカード内情報に矛盾がないか確認することができ、不正使用を防止することができる。
【００２３】
また、プリペイドカードの表裏面上において、第２の二次元バーコード３の印刷可能な領域について予め区画毎にアドレス番地を定めておき、このアドレス番地を印刷位置情報として、第２の二次元バーコード３に埋め込む情報に加えても良い。これによれば、切り貼りなどの偽造操作に対しても対応可能となる。
【００２４】
以上のように、本発明に係わるプリペイドカードは、紙などの単一素材からなるカード基台１に対し、特殊な透明インクで印刷する第１の二次元バーコード２と、通常インクで印刷する追記式の第２の二次元バーコード３とで構成し、前記第１の二次元バーコード２には、プリペイドカード毎に固有のカードキー情報を埋め込み、前記第２の二次元バーコード３には、カード残高情報、記録日時情報、印刷位置情報などと共に、ハッシュ値情報を埋め込んでおき、複製や改竄などの不正使用に対する安全性を確保している。即ち、紙などの単一素材であるから、使用済みのプリペイドカードは分離などの手間をかけることなくリサイクルが容易となる。
更には、プリペイドカード自体の製造コストは極めて安価にすることができるという利点もある。また、透明インクとして紫外線にのみ反応するものを例示したが、コピー機などで読み取り不能となればよいので、紫外線以外の特定波長の光線に反応する透明インキでもよい。
【００２５】
【発明の効果】
以上のように本発明に係わるプリペイドカードは、単一素材からなるカード基台に二次元バーコード印刷を施した構成としつつ、偽造、変造による不正使用ができないよう機能するので、使用後のリサイクルが容易なプリペイドカードが実現できる。
【図面の簡単な説明】
【図１】本発明に係るプリペイドカードの構成例を示す概観図である。
【図２】本発明に係るプリペイドカード発行機の構成例を示す機能ブロック図である。
【図３】本発明に係るプリペイドカード処理機の構成例を示す機能ブロック図である。
【図４】従来技術のプリペイドカードの構成例を示す概観図である。
【図５】二次元バーコード（マトリックス方式）の原理を説明するための図である。
【符号の説明】
１・・・カード基台
２・・・カードキー（第１の二次元バーコード）
２ａ・・・外枠
３・・・第２の二次元バーコード
４・・・プリペイドカード発行機
５・・・カードキー付与部
６・・・ハッシュ値演算部
７・・・初期残高設定部
８・・・制御部
９・・・二次元バーコード印刷部
１０・・・プリペイドカード処理機
１１・・・カードリーダー
１２・・・画像処理デコーダ
１３・・・メモリ
１４・・・ハッシュ値演算部
１５・・・比較判定部
１６・・・差し引き処理部
１７・・・二次元バーコード印刷部
２０・・・レジスター
１００・・・カード基台
２００・・・磁性体帯層
【図１】
2004021398.tif 000003
【図２】
2004021398.tif 000004
【図３】
2004021398.tif 000005
【図４】
2004021398.tif 000006
【図５】
2004021398.tif 000007